(57)【要約】【課題】インク、修正液、糊等の液体の吐出を円滑に行うことができるとともに、低コストで製造可能な加圧式液体用容器を提供する。【解決手段】加圧ポンプ機構９による加圧力で、液体収容管３内を前端部側に向かって進むフォロアー６を、液体収容管３の内周面に気密状態にして設けるとともに、加圧ポンプ機構９を、フォロアー６によって液体収容室内と画成される加圧室１４と、この加圧室１４内に圧入可能に配置されたＯリング１８と、このＯリング１８を加圧室１４内から離脱させる方向に付勢する圧縮スプリング１６と、この圧縮スプリング１６の付勢力に抗してＯリング１８を前方に押し込み移動させる押圧棒１２とにより構成し、前記押し込み動作により、加圧室１４内を加圧して、フォロアー６を前進させるようにした加圧式液体用容器とする。【選択図】図２
2007313733.tif 000002
【特許請求の範囲】
【請求項１】
軸筒内に、液体吐出口部を前端部に備える液体収容管からなるカートリッジが装填され、このカートリッジにおける液体収容管内の液体収容室を、この液体収容管の後端部側から加圧ポンプ機構により加圧し、液体収容室に収容されている液体を液体収容管の前端部側へ送り、この前端部に送られた液体を前記液体吐出口部を介して外部に吐出するようにした加圧式液体用容器において、
液体収容管内の後部に、加圧ポンプ機構により生成された加圧力で、液体収容管内を前端部側に向かって進むフォロアーを、液体収容管の内周面に外周面を密着させて、前記液体収容管との間をほぼ気密状態にして設けるとともに、
加圧ポンプ機構を、フォロアーによって液体収容室内と画成される加圧室と、この加圧室内に圧入可能に配置された弾性変形体と、この弾性変形体を加圧室内から離脱させる方向に付勢する付勢手段と、この付勢手段の付勢力に抗して弾性変形体を前方に押し込み移動させ、加圧室内に気密状態で圧入させる押圧手段とにより構成し、
押圧手段による前記付勢手段の付勢力に抗する弾性変形体の加圧室内への押し込み動作により、加圧室内を加圧することにより、フォロアーを液体収容管の前端部側に向かって前進させるとともに、
前記押圧手段の押し込み解放動作により、前記弾性変形体を、付勢手段の付勢力により加圧室から離脱させて、加圧室内を外気との通気状態にさせるようにしたことを特徴とする加圧式液体用容器。
【請求項２】
加圧室を、カートリッジ内加圧室部とカートリッジ外加圧室部とに画成している隔壁部を加圧室の中間部に設けるとともに、隔壁部にカートリッジ内加圧室部とカートリッジ外加圧室部に連通して、前後方向に貫通している通気孔を設け、かつ、押圧手段の前端部側に、カートリッジ外加圧室部側から通気孔を通ってカートリッジ内加圧室側に突出し、このカートリッジ内加圧室側に突出し、先端部に通気孔を閉塞してカートリッジ内加圧室とカートリッジ外加圧室との連通を断つ弁部を有する作用弁を設けてなり、前記押圧手段が押し込み解放されると、前記弾性変形体が加圧室から離脱される前に、前記弁部が前記通気孔を閉塞するようにしたことを特徴とする請求項１記載の加圧式液体用容器。
【請求項３】
フォロアーの後端部に、作用弁における弁部の進入を許す、前端部側に向かってへこんでいる凹部を設けたことを特徴とする請求項２に記載の加圧式液体用容器。
【請求項４】
弾性変形体を、押圧手段の前端部外周に設けたＯリングで形成したことを特徴とする請求項１〜３のいずれかに記載の加圧式液体用容器。
【請求項５】
押圧手段を押し込み動作位置で解除可能に保持しておく保持機構を設けたことを特徴とする１〜４のいずれかに記載の加圧式液体用容器。
【請求項６】
軸筒の前端部にカートリッジの液体吐出口部を保護するキャップを着脱自在に冠着し、使用時において、キャップを軸筒の後端部に冠着させることにより、押圧手段を押し込み動作させた状態で、保持機構による保持を解除して加圧室内を加圧状態に維持しうるとともに、後端部からキャップを取り外すと、押圧手段の押し込み解放動作がなされるようにしたことを特徴とする請求項５に記載の加圧式液体用容器。
【発明の詳細な説明】
【技術分野】
【０００１】
本発明は、例えばボールペン、修正ペン、糊塗布ペン等の文具用、および化粧品、衣料品、食品等の液体用容器に係り、特に、使用時におけるインク、修正液、糊等の液体の吐出を円滑にできるようにした加圧式液体用容器に関する。
【背景技術】
【０００２】
従来、例えばボールペンにおいては、使用時、インクがペンリフィールユニットのペンチップから円滑に出なかったり、筆記途中でインク切れ起こしたりすることがあり、その都度、紙面上にペン先を何回も擦りつけて、インク出しを行わねばならないという不都合が往々にしてあった（例えば、特許文献１，２参照）。
【０００３】
これに対し、従来、特許文献１、２に開示されているように、ボールペンのペンリフィールユニットに加圧ポンプ機構を設け、この加圧ポンプ機構の操作で、使用時に、インクが充填されたインク収容管内を加圧することにより、上記したような不具合を解消することが提案されている。
【特許文献１】特開２００４−２６８５６７号公報
【特許文献２】特開２００４−２６８５６７号公報
【発明の開示】
【発明が解決しようとする課題】
【０００４】
しかしながら、上述した従来構造のボールペンにあっては、いずれの特許文献においても、ペンリフィールユニットのインク収容管内を加圧ポンプ機構により加圧した後、インク収容管内がそのまま加圧状態を常に維持するようにシールされており、この状態で、加圧ポンプ機構を繰り返し動作させると、インク収容管内が過加圧状態になり、インク漏れが発生し易く、ボールペン軸、さらには手や衣服を汚す虞がある。しかも、インク収容管内の気密状態を高く保つには、シール部品の材質や加工精度が要求され、コスト高になる等の問題がある。これは、ボールペンに限ることなく、同類の修正ペン、糊塗布ペン等の文具用、および化粧品、衣料品、食品等の液体用容器についても、同じ問題が予想される。
【０００５】
本発明は、インク、修正液、糊等の液体の吐出を円滑に行うことができるとともに、低コストで製造可能な加圧式液体用容器を提供することを目的とする。
【課題を解決するための手段】
【０００６】
本発明によると、上記課題は、次のようにして解決される。
（１）軸筒内に、液体吐出口部を前端部に備える液体収容管からなるカートリッジが装填され、このカートリッジにおける液体収容管内の液体収容室を、この液体収容管の後端部側から加圧ポンプ機構により加圧し、液体収容室に収容されている液体を液体収容管の前端部側へ送り、この前端部に送られた液体を前記液体吐出口部を介して外部に吐出するようにした加圧式液体用容器において、液体収容管内の後部に、加圧ポンプ機構により生成された加圧力で、液体収容管内を前端部側に向かって進むフォロアーを、液体収容管の内周面に外周面を密着させて、前記液体収容管との間をほぼ気密状態にして設けるとともに、加圧ポンプ機構を、フォロアーによって液体収容室内と画成される加圧室と、この加圧室内に圧入可能に配置された弾性変形体と、この弾性変形体を加圧室内から離脱させる方向に付勢する付勢手段と、この付勢手段の付勢力に抗して弾性変形体を前方に押し込み移動させ、加圧室内に気密状態で圧入させる押圧手段とにより構成し、押圧手段による前記付勢手段の付勢力に抗する弾性変形体の加圧室内への押し込み動作により、加圧室内を加圧することにより、フォロアーを液体収容管の前端部側に向かって前進させるとともに、前記押圧手段の押し込み解放動作により、前記弾性変形体を、付勢手段の付勢力により加圧室から離脱させて、加圧室内を外気との通気状態にさせるようにする。
【０００７】
（２）上記(１)項において、加圧室を、カートリッジ内加圧室部とカートリッジ外加圧室部とに画成している隔壁部を加圧室の中間部に設けるとともに、隔壁部にカートリッジ内加圧室部とカートリッジ外加圧室部に連通して、前後方向に貫通している通気孔を設け、かつ、押圧手段の前端部側に、カートリッジ外加圧室部側から通気孔を通ってカートリッジ内加圧室側に突出し、このカートリッジ内加圧室側に突出し先端部に通気孔を閉塞してカートリッジ内加圧室とカートリッジ外加圧室との連通を断つ弁部を有する作用弁を設けてなり、前記押圧手段が押し込み解放されると、前記弾性変形体が加圧室から離脱される前に、前記弁部が前記通気孔を閉塞するようにする。
【０００８】
（３）上記(２)項において、フォロアーの後端部に、作用弁における弁部の進入を許す、前端部側に向かってへこんでいる凹部を設ける。
【０００９】
（４）上記(１)〜(３)項のいずれかにおいて、弾性変形体を、押圧手段の前端部外周に設けたＯリングで形成する。
【００１０】
（５）上記(１)〜(４)項のいずれかにおいて、押圧手段を押し込み動作位置で解除可能に保持しておく保持機構を設ける。
【００１１】
（６）上記(５)項において、軸筒の前端部にカートリッジの液体吐出口部を保護するキャップを着脱自在に冠着し、使用時において、キャップを軸筒の後端部に冠着させることにより、押圧手段を押し込み動作させた状態で、保持機構による保持を解除して加圧室内を加圧状態に維持しうるとともに、後端部からキャップを取り外すと、押圧手段の押し込み解放動作がなされるようにする。
【発明の効果】
【００１２】
本発明によると、次のような効果が奏せられる。
請求項１記載の発明によれば、押圧手段による１回の押し込み操作でもって、カートリッジ内の加圧室を加圧状態にし、この加圧室を画成しているフォロアーを液体収容管の内周面に外周面を密着させて前進させ、フォロアーの前進に伴って液体をカートリッジ先端側、すなわち供給側へ送ってその位置に止めておくことができるため、液体の供給を円滑に行うことができるとともに、加圧式液体用容器の先部を上向きの状態で容易に使用することができる。さらに弾性変形体を用いているため、加工精度がそれほど要求されず、低コストで製造可能である。
【００１３】
請求項２記載の発明によれば、押圧手段が押し込み解放されると、弁部が通気孔を閉塞し、カートリッジ内加圧室内を現在の加圧状態にほぼ維持させることができるため、特に、液体吐出口部を上向きの状態で使用する場合の液体切れ等を防止するのに有効である。
【００１４】
請求項３記載の発明によれば、押圧手段の押し込み操作に連動して前端部側へ移動してくる作用弁の弁部を、フォロアーの後端部に設けた凹部内に進入させて逃がすことにより吸収し、フォロアーとの衝突を避けるようにしているので、フォロアーの移動開始位置を後端部側に移動させることができ、液体収容管内の液体収容室のスペースを大きくとることができる。これにより、容器の前後方向の長さを小さくしたり、あるいは液体収容量を多く確保するのに有効である。
【００１５】
請求項４記載の発明によれば、弾性変形体が、押圧手段の前端部外周に設けたＯリングであるため、加圧時に均一に弾性変形して加圧室内に圧入されるため、円滑に加圧がなされる。
【００１６】
請求項５記載の発明によれば、押圧手段を押し込み動作位置まで押し込むと、その押し込み位置で保持され、加圧室内を加圧状態に維持させることができるため、特に、液体吐出口部を上向きの状態で使用する場合の液体切れ等を防止するのに有効である。
【００１７】
請求項６記載の発明によれば、容器使用時に、キャップを軸筒の後端部に冠着させるだけで、加圧状態を容易に維持させることができるため、請求項５記載の発明と同様に、特に、液体吐出口部を上向きの状態で使用する場合の液体切れ等を防止するのに有効である。また、後端部からキャップを取り外すと、押圧手段が押し込み前の位置に自動的に戻されるため、円滑に操作がなされる。
【発明を実施するための最良の形態】
【００１８】
以下、本発明の実施形態を、図面に基づいて説明する。
図１は、本発明に係る加圧式液体用容器のキャップを外し、かつ非加圧状態で示す正面図、図２は非加圧状態で示す加圧式液体用容器の断面正面図、図３は、図２の要部拡大図、図４および図５は、図２の要部拡大斜視図、図６は、加圧状態で示す加圧式液体用容器の断面正面図、図７は、図６の要部拡大図、図８は、図６の要部拡大斜視図である。なお、図において、紙面に対して「左側」を前方、「右側」を後方とする。
【００１９】
本実施形態の修正液塗布ペンは、図１〜図３、および図６，図７に示すように、軸筒(１)と、この軸筒(１)内に交換可能に螺着されたカートリッジ(２)とを有する。
【００２０】
カートリッジ(２)は、修正媒体としての修正液(Ｗ)が充填された円筒状の液体収容管(３)と、この液体収容管(３)の前端部(3a)に、ヘッドチップ(４)を介して装着された吐出用芯部材(５)とで構成されている。液体収容管(３)の前端部(3a)には、液体収容管(３)内に通じる開口部(3b)が設けられている。液体収容管(３)の後端開放部(3c)側は、フォロアー(６)で閉塞されている。ヘッドチップ(４)には、キャップ(７)が冠着され、不使用時におけるヘッドチップ(４)の前端を保護し得るようになっている。
【００２１】
フォロアー(６)は、前端面(6a)が閉じられ、後端面(6b)に、前端面(6a)に向かってへこんでいる凹部(6c)を設けた円筒キャップ状のものであり、修正液(Ｗ)が入れられた液体収容管(３)内に、この液体収容管(３)の内周面に外周面を接触させてほぼ気密の状態で、かつ後端開口部(3b)側から前端部(3a)側に向かって移動できるようにして配設され、液体収容管(３)内の前端部(3a)との間に修正液(Ｗ)が収容された液体収容室(８)を画成している。
【００２２】
ヘッドチップ(４)は、前端部側が絞られて先細状に形成され、その前端部に開口部(4a)を設けてなる円筒キャップ状の部材である。ヘッドチップ(４)は、液体収容管(３)における前端部(3a)の外周面ねじ部に内周面ねじ部を螺合させて取り付けられており、液体収容管(３)の開口部(3b)とヘッドチップ(４)の開口部(4a)とで、吐出用芯部材(５)の両端部(5a)(5b)を前後方向に移動可能に保持している。
【００２３】
吐出用芯部材(５)は、前後中間部分に鍔部(5c)が設けられている。鍔部(5c)と液体収容管(３)との間に圧縮スプリング(5d)を介装させ、圧縮スプリング(5d)の付勢力により、吐出用芯部材(５)の前端部(5a)の一部が、開口部(4a)を通ってヘッドチップ(４)よりも前方に突き出した状態で、ヘッドチップ(４)内に保持されている。
【００２４】
軸筒(１)の後端部(1a)には、加圧ポンプ機構(９)が組み込まれている。この加圧ポンプ機構(９)は、軸筒(１)の後端開放部(1a)の内周面ねじ部に外周面ねじ部を螺合させて固定された円筒状のホルダー(10)と、ホルダー(10)の前端開放部(10a)の内周面ねじ部に外周面ねじ部を螺合させてホルダー(10)の前端開放部(10a)に固定され、ホルダー(10)の前端開放部(10a)とともに軸筒(１)の後端開放部(1a)内に配設されているガイドブッシュ(11)と、ホルダー(10)とガイドブッシュ(11)で保持されている押圧手段としての押圧棒(12)等を有している。
【００２５】
ホルダー(10)は、後端部(10b)が軸筒(１)の後端部から後方に向かって突出されている。ホルダー(10)における後端部(10b)の外径は、キャップ(７)の内径とほぼ等しく形成されており、後端部(10b)にキャップ(７)を冠着できるようになっている。
【００２６】
ガイドブッシュ(11)は、隔壁部(11a)としての前面が閉じられ後端面が開放された円筒キャップ状のもので、隔壁部(11a)の中央部には前後方向に開口する通気孔(13)が設けられている。隔壁部(11a)は、加圧室(14)を、カートリッジ外加圧室部(14a)とカートリッジ内加圧室部(14b)とに画成している。一方、ガイドブッシュ(11)内は、その隔壁部(11a)から後端面側に向けて段階的に拡径されて、カートリッジ外加圧室部(14a)に加えて外気連通部(15)が設けられている。
【００２７】
ガイドブッシュ(11)内には、押圧棒(12)の加圧作用部(12a)と、付勢手段としての圧縮スプリング(16)が配設され、この圧縮スプリング(16)は、押圧棒(12)を後方に向けて付勢している。押圧棒(12)における加圧作用部(12a)の前端部には、ガイドブッシュ(11)の隔壁部(11a)の前方から通気孔(13)を通って挿入された作用弁(17)の一端部側がねじ込み結合されて、加圧作用部(12a)の前端部から前方に向かって突出した状態で取り付けられている。作用弁(17)の前端部には、弁部(17a)が設けられている。弁部(17a)は、押圧棒(12)が前方に移動されると隔壁部(11a)から離され、通気孔(13)を解放してカートリッジ外加圧室部(14a)とカートリッジ内加圧室部(14b)とを連通させ、押圧棒(12)が後方に移動されると、隔壁部(11a)に当接され、通気孔(13)を閉塞してカートリッジ外加圧室部(14a)とカートリッジ内加圧室部(14b)との間の連通を断つように形成されている。なお、図２，図３，図６，図７に示すように、弁部(17a)の外径は、フォロアー(６)の凹部(6c)の内径よりも小さく形成されており、押圧棒(12)とともに前方へ移動する時とき、弁部(17a)が凹部(6c)内に進入されて、フォロアー(６)に対する弁体(17a)の移動を吸収できる構造にしてある。これにより、容器の前後方向の長さを小さくしたり、あるいは液体収容量を多く確保するのに有利になっている。
【００２８】
加圧作用部(12a)の前端部の外周面には、弾性変形体であるＯリング(18)が装着されている。Ｏリング(18)は、シリコンゴムあるいはガスバリア性を有するブチルゴム等の易弾性変形材料で形成されている。Ｏリング(18)の径は、カートリッジ外加圧室部(14a)の内径よりもやや大きく、外気連通部(15)の内径よりも小さくして、カートリッジ外加圧室(14a)内に弾性変形により気密状態で圧入可能になっている。
【００２９】
ホルダー(10)と押圧棒(12)との後端部には、保持機構(19)が組み込まれている。この保持機構(19)は、押圧棒(12)を押し込み動作位置で解除可能に保持しておくものであり、ホルダー(10)の後端部(10b)の外周面に、この外周面から内周面まで貫通して設けられている係合溝(20)と、ホルダー(10)内に挿入配置されている押圧棒(12)の外周面に設けられている係止片(21)等で構成されている。
【００３０】
係合溝(20)は、図４で詳細に示すように、円周方向において幅の狭い幅狭係合溝(20a)と、この幅狭係合溝(20a)の前後の部分に幅狭係合溝(20a)と連通し、かつ幅狭係合溝(20a)の幅よりも大きい幅で設けられた幅広係合溝(20b)(20c)とでなる。
【００３１】
一方、係止片(21)は、図４および図５で詳細に示すように、押圧棒(12)の外周面に設けられたスリット(22)により、後端部側が固定されて、前端部側が上下方向、すなわち内外周方向に揺動可能な弾性片として形成されている。係止片(21)は、先端部に幅狭係合溝(20a)に対応して、外周外側に向かって突出されているロック解除用突起部(21a)と、幅広係合溝(20b)に対応して、同じく外周外側に向かって突出されているロック用突起部(21b)とが形成されている。また、ロック解除用突起部(21a)の突出高さは、ロック用突起部(21b)の突出高さよりも大きく、押圧棒(12)がホルダー(10)内に配置され、ロック解除用突起部(21a)が幅狭係合溝(20a)内に配置された状態では、図２〜図４に示すように、このロック解除用突起部(21a)がホルダー(10)の外周面から外周外側に向かって大きく突出した状態となるように配設されている。
【００３２】
そして、ロック解除用突起部(21a)がホルダー(10)の外周面よりも外周外側に突出されている状態では、ロック用突起部(21b)は幅広係合溝(20b)(20c)内に係合しており、一方、ロック解除用突起部(21a)が少なくともホルダー(10)の外周面とほぼ面一になる位置まで内側へ押し込まれると、ロック用突起部(21b)はホルダー(10)の内周面よりも内側に移動されて、幅広係合溝(20b)(20c)と係合されない位置へ移動されるように設定してある。また、ロック解除用突起部(21a)の上部後端部には、後方斜め上側を向いて傾斜するガイド面(23)が形成され、ロック用突起部(21b)の上部前端部には、前方斜め上方を向いて傾斜するガイド面(24)が形成されている。
【００３３】
次に、本実施形態における加圧ポンプ機構(９)と保持機構(19)の動作を説明する。図２および図３に示すように、修正ペン不使用時においては、押圧棒(12)は、圧縮スプリング(16)の付勢力により、作用弁(17)の弁部(17a)が通気孔(13)を閉塞し、かつ加圧作用部(12a)上のＯリング(18)がカートリッジ外加圧室(14a)から離脱して外気通気部(15)内に配置された位置まで移動している。カートリッジ外加圧室(14a)、外気通気部(15)、ホルダー(10)の通気孔(25)は、外気と通気状態にあり、一方、カートリッジ内加圧室(14b)は加圧保持状態になっている。これにより、フォロアー(６)は、現在の位置を保持し、液体吐出口部である開口部(4a)を上向きの状態で使用した際の液体切れ等を防止する。また、保持機構(19)は、図２および図３に示すように、係止片(21)のロック用突起部(21b)が後側幅広係合溝(20c)内に係合された状態にある。
【００３４】
一方、図６〜図８に示すように、修正ペン使用時において、圧縮スプリング(16)の付勢力に抗して、押圧棒(12)を前方に向けて押し込むと、作用弁(17)の弁部(17a)が通気孔(13)を開放するとともに、加圧作用部(12a)上のＯリング(18)がカートリッジ外加圧室(14a)内に配置されるように移動する。このとき、Ｏリング(18)は弾性変形しながらカートリッジ外加圧室(14a)内に圧入されて、加圧室(14)全体を気密状態にするとともに、Ｏリング(18)の移動幅に応じてカートリッジ外加圧室(14a)内の空気が、通気孔(13)を通してカートリッジ内加圧室(14b)内に圧送される。これにより、カートリッジ内加圧室(14b)内が加圧状態になり、これにともなってフォロアー(６)が液体収容管(３)内を前方に向けて移動し、液体収容室(８)内の加圧効率を高めることができる。
【００３５】
また、図４に示すように、保持機構(19)は、押圧棒(12)が前方に向けて押し込まれ、ガイド面(24)が後側幅広係合溝(20c)の前端縁に当接すると、係止片(21)が内側に弾性変形されてロックが外れ、さらに前方に向けて移動することができる。そして、ロック用突起部(21b)が前側幅広係合溝(20b)と対応すると、図６〜図８に示すように、前側幅広係合溝(20b)内に係合されてロックされ、カートリッジ内加圧室(14b)内は、そのときの加圧状態が維持される。これにより、修正インク(Ｗ)の供給を円滑に行うことができる。
【００３６】
また、修正ペンの使用が終了したら、係止片(21)のロック解除用突起部(21a)を内側へ押し込むと、ロック用突起部(21b)が前側幅広係合溝(20ｂ)から外れ、圧縮スプリング(16)の付勢力により、押圧棒(12)が後方に向けて、係止片(21)のロック用突起部(21b)が後側幅広係合溝(20c)内に係合されるまで移動される。この押圧棒(12)の移動では、まず作用弁(17)の弁部(17a)が通気孔(13)を閉塞し、続いて加圧作用部(12a)上のＯリング(18)がカートリッジ外加圧室(14a)から離脱して外気通気部(15)内に配置されるように設定してある。これにより、フォロアー(６)は、現在の位置を保持する。このように、押圧棒(12)による１回の押し込みとその開放動作で、液体収容管(３)内を加圧し、その状態を維持し、次いでその状態をほぼ維持したまま、次の加圧を行うことができるので、修正インク(Ｗ)の供給を常に円滑に行うことができ、特に、液体吐出口部である開口部(4a)を上向きの状態で使用する場合の液体切れ等を防止するのに有効である。
【００３７】
次に、修正ペン不使用時から修正ペン使用に移る際、ヘッドチップ(４)に冠着されているキャップ(７)を取り外し、この取り外したキャップ(７)を、図６および図７に二点鎖線で示すように、ホルダー(10)の後端部(10b)に冠着させる。冠着時、キャップ７の前面が、ロック解除用突起部(21a)のガイド面(23)に当接すると、係止片(21)が内側に押されて弾性変位してロックが外される。また、ロックが外された状態で、キャップ(７)とともに押圧棒(12)が前方に向けて押し込まれ、所定の位置まで押し込まれると、図示していないが、キャップ(７)とホルダー(10)との間がディテント係止され、その状態が保持される。
【００３８】
一方、使用が終わり、キャップ(７)をホルダー(10)から引き抜くようにして、ホルダー(10)の後端部(10b)から取り外すと、ロックが解除された状態にある押圧棒(12)は、圧縮スプリング(16)の付勢力により、図２〜図５に示す状態に押し戻される。したがって、キャップ(７)を用いた場合では、キャップ(７)の着脱操作によって、押圧棒(12)による１回の押し込みとその開放動作を行うことができることになり、操作が簡略化される。
【００３９】
なお、本実施形態の加圧式液体用容器では、液体収容管(３)内の修正液(Ｗ)がなくなったとき、カートリッジ(２)だけを交換すれば、軸筒(１)、加圧ポンプ機構(９)、および保持機構(19)等はそのまま繰り返し使用することができる。
【図面の簡単な説明】
【００４０】
【図１】本発明の実施形態に係る加圧式液体用容器のキャップを外し、かつ非加圧状態で示す正面図である。
【図２】同じく、非加圧状態で示す加圧式液体用容器の断面正面図である。
【図３】図２の要部拡大図である。
【図４】図２の要部拡大斜視図である。
【図５】同じく、図２の要部拡大斜視図である。
【図６】加圧状態で示す同上加圧式液体用容器の断面正面図である。
【図７】図６の要部拡大図である。
【図８】図６の要部拡大斜視図である。
【符号の説明】
【００４１】
(１)軸筒
(1a)後端開放部              
(２)カートリッジ
(３)液体収容管
(3a)前端部
(3b)開口部
(3c)後端部
(４)ヘッドチップ
(4a)開口部
(５)吐出用芯部材
(5a)前端部
(5b)後端部
(5c)鍔部
(6d)圧縮スプリング
(６)フォロアー
(6a)前端面
(6b)後端面
(6c)凹部
(７)キャップ
(８)液体収容室
(９)加圧ポンプ機構
(10)ホルダー
(10a)前端開放部
(11)ガイドブッシュ
(11a)隔壁部
(12)押圧棒
(12a)加圧作用部
(13)通気孔
(14)加圧室
(14a)カートリッジ外加圧室部
(14b)カートリッジ内加圧室部
(15)外気連通部
(16)圧縮スプリング
(17)作用弁
(17a)弁部
(18)Ｏリング
(19)保持機構
(20)係合溝
(20a)幅狭係合溝
(20b)前側幅広係合溝
(20c)後側幅広係合溝
(21)係止片
(21a)ロック解除用突起部
(21b)ロック用突起部
(22)スリット
(23)ガイド面
(24)ガイド面
(25)通気孔
(Ｗ)修正液
【図１】
2007313733.tif 000003
【図２】
2007313733.tif 000004
【図３】
2007313733.tif 000005
【図４】
2007313733.tif 000006
【図５】
2007313733.tif 000007
【図６】
2007313733.tif 000008
【図７】
2007313733.tif 000009
【図８】
2007313733.tif 000010